(57)【要約】【課題】通信性能の向上を図る状態と消費電力の低減を図る状態との切り替えをシンプルな制御により行い、確実に消費電力を低減し通信性能を向上する。【解決手段】リーダ１は、振幅変調された高周波信号を増幅するための複数の高周波増幅器２２Ａ，２２Ｂを、増幅器並列型に接続可能に構成した高周波増幅回路２００と、前記複数の高周波増幅器２２Ａ，２２Ｂによる並列動作を行わせる第１状態と、前記複数の高周波増幅器２２Ａ，２２Ｂのうちいずれか一方の高周波増幅器を用いたシングル動作を行わせる第２状態とを、切り替えるＯｎ／Ｏｆｆ信号を、高周波増幅回路２００へ出力するＣＰＵ４を有する。【選択図】図４
2011077700.tif 000002
【特許請求の範囲】
【請求項１】
通信対象と無線通信を行うためのアンテナと、
前記無線タグにアクセスするための搬送波を発生させる搬送波発生手段と、
前記搬送波発生手段により発生された搬送波を変調する搬送波変調手段と、
前記搬送波変調手段による変調の実行及び不実行を制御する変調制御手段と、
振幅により変調された高周波信号を増幅するための複数の高周波増幅器を、増幅器並列型に接続可能に構成した増幅手段と、
前記変調制御手段の制御により前記搬送波変調手段が変調を実行しないときには、前記複数の高周波増幅器による並列動作を行わせる第１状態へ切り替え、前記変調制御手段の制御により前記搬送波変調手段が変調を実行するときは、前記複数の高周波増幅器のうちいずれか一方の高周波増幅器を用いたシングル動作を行わせる第２状態に切り替える、切替制御信号を、前記増幅手段へ出力する切替制御手段と
を有することを特徴とする無線送信機。
【請求項２】
前記増幅手段は、
前記第２状態において前記シングル動作を行う１つの第１アンプと、
前記第１状態において前記切替制御信号によってＯＮ状態となり前記第１アンプとともに前記並列動作を行い、前記第２状態において前記切替制御信号によってＯＦＦ状態となる、前記第１アンプの利得と異なる値の利得を備えた少なくとも１つの第２アンプと、
増幅対象の信号を入力するとともに、当該入力した信号を、前記第１アンプ及び前記第２アンプのうちいずれか一方のアンプが他方のアンプより大きくなるような分配比で、前記第１アンプ及び前記第２アンプへと分配する分配器と、
前記第１アンプから出力された信号と前記第２アンプから出力された信号とを合波する合波器と
を備えることを特徴とする請求項１記載の無線送信機。
【請求項３】
前記増幅手段は、
前記第２アンプが、前記第１アンプの利得よりも高い利得を備えており、
前記分配器が、前記第２アンプの出力と前記第１アンプの出力とが同等のレベルになるように、第１アンプ及び第２アンプへの入力レベルが分配されるような分配比で、前記入力した信号を分配する
ことを特徴とする請求項２記載の無線送信機。
【請求項４】
前記第１状態において前記第１アンプ及び前記第２アンプの両方を前記分配器及び前記合波器に導通させ、前記第２状態において前記第１アンプを前記増幅手段の入力側及び出力側に導通させるとともに前記第２アンプを前記増幅手段の入力側及び出力側から遮断する、スイッチ手段を有する
ことを特徴とする請求項２又は請求項３記載の無線送信機。
【請求項５】
前記切替制御手段からの入力レベル制御信号に基づき、前記増幅手段の入力側の入力信号レベルを制御可能なプリアンプを有する
ことを特徴とする請求項２乃至請求項４のいずれか１項記載の無線送信機。
【請求項６】
前記切替制御手段は、
前記第１アンプ及び前記第２アンプのうち少なくとも一方のアンプの利得を制御する利得制御信号を、当該少なくとも一方のアンプへ出力する
ことを特徴とする請求項２乃至請求項４のいずれか１項記載の無線送信機。
【請求項７】
無線タグと無線通信を行うためのアンテナと、
前記無線タグにアクセスするための搬送波を発生させる搬送波発生手段と、
前記搬送波発生手段により発生された搬送波を変調する搬送波変調手段と、
前記搬送波変調手段の出力を増幅し、前記アンテナより前記無線タグへ送信する増幅手段と、
前記搬送波変調手段による変調の実行及び不実行を制御する変調制御手段と
を有する無線タグ通信装置であって、
前記増幅手段は、増幅器並列型に接続可能な複数の高周波増幅器を備えており、
かつ、
前記変調制御手段の制御により前記搬送波変調手段が変調を実行しないときには、前記複数の高周波増幅器による並列動作を行わせる第１状態へ切り替え、前記変調制御手段の制御により前記搬送波変調手段が変調を実行するときは、前記複数の高周波増幅器のうちいずれか一方の高周波増幅器を用いたシングル動作を行わせる第２状態に切り替える、切替制御信号を、前記増幅手段へ出力する切替制御手段を設けたことを特徴とする無線タグ通信装置。
【発明の詳細な説明】
【技術分野】
【０００１】
本発明は、無線通信により通信対象へ情報を送信する無線送信機、及び、無線通信により無線タグと情報を送受信する無線タグ通信装置に関する。
【背景技術】
【０００２】
一般に、無線通信において振幅により変調された高周波信号を増幅する場合、波形の歪みが高周波増幅器の利得の線形性に依存する。線形性がよいほど歪みにより生じる不要輻射が少なく、通信性能が向上し、また各国が定める電波法への適合性も高まる。一方、高周波増幅器の動作効率も高周波増幅器の利得の線形性に依存するが、線形性がよいほど動作効率が悪くなり、消費電力が増大する。
【０００３】
上記の特性に対応して、従来、高効率で広範囲な出力レベルをカバーできるようにした無線送信機が既に提唱されている（例えば特許文献１参照）。この無線送信機では、高周波増幅回路の動作モードが、線形動作モード、又は、非線形動作モードに指定される。いずれのモードに指定されるかによって、高周波電力増幅回路の動作電圧やバイアス電流値が切り替わる。高周波電力増幅回路は、指定された動作モードで動作することで、高効率な出力送信電力範囲を広くとることができる。
【先行技術文献】
【特許文献】
【０００４】
【特許文献１】特開２００５−１１７３１５号公報
【発明の概要】
【発明が解決しようとする課題】
【０００５】
上記従来技術では、無線送信機からの出力電力に応じて、通信性能の向上や不要輻射の抑制を主眼とする線形動作モードか、消費電力の低減を図る非線形動作モードかが、切り替えられる。そして、各モードに応じて高周波増幅回路の動作電圧やバイアス電流が制御される。しかしながら、この手法では、線形動作モードに切り替えた場合に、線形領域が十分に引き上げられるとは限らず、通信性能の向上や不要輻射の抑制が不十分であった。また、モード切替に伴い必要となる制御が複雑であった。
【０００６】
本発明の目的は、通信性能の向上を図る状態と消費電力の低減を図る状態との切り替えをシンプルな制御により行い、確実に消費電力を低減し通信性能を向上し不要輻射の抑制ができる、無線送信機及び無線タグ通信装置を提供することにある。
【課題を解決するための手段】
【０００７】
上記目的を達成するために、第１の発明は、通信対象と無線通信を行うためのアンテナと、前記無線タグにアクセスするための搬送波を発生させる搬送波発生手段と、前記搬送波発生手段により発生された搬送波を変調する搬送波変調手段と、前記搬送波変調手段による変調の実行及び不実行を制御する変調制御手段と、振幅により変調された高周波信号を増幅するための複数の高周波増幅器を、増幅器並列型に接続可能に構成した増幅手段と、前記変調制御手段の制御により前記搬送波変調手段が変調を実行しないときには、前記複数の高周波増幅器による並列動作を行わせる第１状態へ切り替え、前記変調制御手段の制御により前記搬送波変調手段が変調を実行するときは、前記複数の高周波増幅器のうちいずれか一方の高周波増幅器を用いたシングル動作を行わせる第２状態に切り替える、切替制御信号を、前記増幅手段へ出力する切替制御手段とを有することを特徴とする。
【０００８】
本願第１発明の無線送信機では、搬送波発生手段から発生した搬送波が搬送波変調手段によって変調される。その変調された搬送波は増幅手段によって増幅された後アンテナを介して通信対象へ送信され、これによって通信対象との無線通信を介した情報送受信が行われる。
【０００９】
一般に、振幅により変調された高周波信号を増幅する場合、波形の歪みが高周波増幅器の利得の線形性に依存する。線形性がよいほど歪みにより生じる不要輻射が少なく、通信性能が向上し、また各国が定める電波法への適合性も高まる。一方、高周波増幅器の動作効率も高周波増幅器の利得の線形性に依存するが、線形性がよいほど動作効率が悪くなり、消費電力が増大する。
【００１０】
ここで、無線通信では、搬送波変調手段により変調を行った高周波信号を送受信する変調送受信期間と、搬送波変調手段による変調を行わない高周波信号を送受信する無変調送受信期間とが、時間的に切り替わりつつ、通信が行われる。したがって、通信性能を確保しつつ電力消費を低減する観点からは、線形性を良好にし主として不要輻射の低減を図る状態と、線形性を低下させ主として動作効率の向上を図る状態とを、上記変調送受信期間と上記無変調送受信期間とで、切り替えて使い分けるのが合理的である。
【００１１】
本願第１発明では、増幅手段が複数の高周波増幅器を備えており、それら複数の高周波増幅器は増幅器並列型に接続可能に構成されている。そして、変調制御手段が搬送波変調手段を制御し変調を行う変調送受信期間では、切替制御手段が増幅手段を第１状態に切り替え、複数の高周波増幅器が並列動作を行うことで線形性を良好にし主として不要輻射の低減を図る。また上記並列動作により、第２状態でのシングル動作を行う場合に比べ約３ｄＢ程度の線形出力領域の向上を図ることができ、通信性能を確実に向上することができる。一方、変調制御手段が搬送波変調手段を制御し変調を行わない無変調送受信期間では、切替制御手段が増幅手段を第２状態に切り替え、線形性を低下させ主として動作効率の向上を図る。
【００１２】
このとき、並列動作とシングル動作とを切り替える手法であることにより、高周波増幅回路の動作電圧を制御したり、高周波増幅回路のバイアスを制御する手法等に比べ、制御の簡素化、容易化を図ることができる。
【００１３】
以上のように、本願第１発明によれば、通信性能の向上を図る状態と消費電力の低減を図る状態との切り替えを、容易かつシンプルな制御により行うことができる。この結果、確実に消費電力を低減し通信性能を向上し不要輻射の抑制を図ることができる。
【００１４】
第２発明は、上記第１発明において、前記増幅手段は、前記第２状態において前記シングル動作を行う１つの第１アンプと、前記第１状態において前記切替制御信号によってＯＮ状態となり前記第１アンプとともに前記並列動作を行い、前記第２状態において前記切替制御信号によってＯＦＦ状態となる、前記第１アンプの利得と異なる値の利得を備えた少なくとも１つの第２アンプと、増幅対象の信号を入力するとともに、当該入力した信号を、前記第１アンプ及び前記第２アンプのうちいずれか一方のアンプが他方のアンプより大きくなるような分配比で、前記第１アンプ及び前記第２アンプへと分配する分配器と、前記第１アンプから出力された信号と前記第２アンプから出力された信号とを合波する合波器とを備えることを特徴とする。
【００１５】
これにより、第１状態から第２状態に切り替わって第２アンプがＯＦＦとなる際に、分配器の入力側へインピーダンス不整合の影響が生じるのを、低減することができる。
【００１６】
第３発明は、上記第２発明において、前記増幅手段は、前記第２アンプが、前記第１アンプの利得よりも高い利得を備えており、前記分配器が、前記第２アンプの出力と前記第１アンプの出力とが同等のレベルになるように、第１アンプ及び第２アンプへの入力レベルが分配されるような分配比で、前記入力した信号を分配することを特徴とする。
【００１７】
本願第３発明では、第１状態から第２状態に切り替わる際にＯＦＦとなる第２アンプ側への分配比を小さくすることで第２アンプがＯＦＦとなる際に生じるインピーダンス不整合の影響を確実に低減する。この結果、第１アンプへの入力の分配による損失が小さくなり、第２状態でシングル動作する第１アンプを含む経路での損失を、低減することができる。
【００１８】
第４発明は、上記第２又は第３発明において、前記第１状態において前記第１アンプ及び前記第２アンプの両方を前記分配器及び前記合波器に導通させ、前記第２状態において前記第１アンプを前記増幅手段の入力側及び出力側に導通させるとともに前記第２アンプを前記増幅手段の入力側及び出力側から遮断する、スイッチ手段を有することを特徴とする。
【００１９】
本願第４発明では、第１状態から第２状態に切り替わる際、第２アンプがＯＦＦとなるとともに第２アンプが増幅手段の入力側及び出力側から遮断される。これにより、上記インピーダンス不整合が生じるのを防止することができ、第２状態でシングル動作する第１アンプを含む経路での損失を防ぐこともできる。
【００２０】
第５発明は、上記第２乃至第４発明のいずれかにおいて、前記切替制御手段からの入力レベル制御信号に基づき、前記増幅手段の入力側の入力信号レベルを制御可能なプリアンプを有することを特徴とする。
【００２１】
これにより、切替制御信号によって第１状態及び第２状態のいずれに切り替えられても、適宜に入力レベルを調整し、最終的に前記増幅手段の出力側から出力される出力レベルが一定となるように制御することができる。
【００２２】
第６発明は、上記第２乃至第４発明のいずれかにおいて、前記切替制御手段は、前記第１アンプ及び前記第２アンプのうち少なくとも一方のアンプの利得を制御する利得制御信号を、当該少なくとも一方のアンプへ出力することを特徴とする。
【００２３】
これにより、切替制御信号によって第１状態及び第２状態のいずれに切り替えられても、適宜にアンプの利得を調整し、最終的に前記増幅手段の出力側から出力される出力レベルが一定となるように制御することができる。
【００２４】
上記目的を達成するために、第７発明は、無線タグと無線通信を行うためのアンテナと、前記無線タグにアクセスするための搬送波を発生させる搬送波発生手段と、前記搬送波発生手段により発生された搬送波を変調する搬送波変調手段と、前記搬送波変調手段の出力を増幅し、前記アンテナより前記無線タグへ送信する増幅手段と、前記搬送波変調手段による変調の実行及び不実行を制御する変調制御手段とを有する無線タグ通信装置であって、前記増幅手段は、増幅器並列型に接続可能な複数の高周波増幅器を備えており、かつ、前記変調制御手段の制御により前記搬送波変調手段が変調を実行しないときには、前記複数の高周波増幅器による並列動作を行わせる第１状態へ切り替え、前記変調制御手段の制御により前記搬送波変調手段が変調を実行するときは、前記複数の高周波増幅器のうちいずれか一方の高周波増幅器を用いたシングル動作を行わせる第２状態に切り替える、切替制御信号を、前記増幅手段へ出力する切替制御手段を設けたことを特徴とする。
【００２５】
本願第７発明の無線タグ通信装置では、搬送波発生手段から発生した搬送波が搬送波変調手段によって変調される。その変調された搬送波は増幅手段によって増幅された後アンテナを介して無線タグへ送信され、これによって無線タグとの情報送受信が行われる。
【００２６】
一般に、無線通信では、搬送波変調手段により変調を行った高周波信号を送受信する変調送受信期間と、搬送波変調手段による変調を行わない高周波信号を送受信する無変調送受信期間とが、時間的に切り替わりつつ、通信が行われる。通信性能を確保しつつ電力消費を低減する観点からは、線形性を良好にし主として不要輻射の低減を図る状態と、線形性を低下させ主として動作効率の向上を図る状態とを、上記変調送受信期間と上記無変調送受信期間とで、切り替えて使い分けるのが合理的である。
【００２７】
本願第７発明では、増幅手段が複数の高周波増幅器を備えており、それら複数の高周波増幅器は増幅器並列型に接続可能に構成されている。そして、変調制御手段が搬送波変調手段を制御し変調を行う変調送受信期間では、切替制御手段が増幅手段を第１状態に切り替え、複数の高周波増幅器が並列動作を行うことで線形性を良好にし主として不要輻射の低減を図る。また上記並列動作により、第２状態でのシングル動作を行う場合に比べ約３ｄＢ程度の線形出力領域の向上を図ることができ、通信性能を確実に向上することができる。一方、変調制御手段が搬送波変調手段を制御し変調を行わない無変調送受信期間では、切替制御手段が増幅手段を第２状態に切り替え、線形性を低下させ主として動作効率の向上を図る。
【００２８】
このとき、並列動作とシングル動作とを切り替える手法であることにより、高周波増幅回路の動作電圧を制御したり、高周波増幅回路のバイアスを制御する手法等に比べ、制御の簡素化、容易化を図ることができる。
【００２９】
以上のように、本願第７発明によれば、通信性能の向上を図る状態と消費電力の低減を図る状態との切り替えを、容易かつシンプルな制御により行うことができる。この結果、確実に消費電力を低減し通信性能を向上し不要輻射の抑制を図ることができる。
【発明の効果】
【００３０】
本発明によれば、通信性能の向上を図る状態と消費電力の低減を図る状態との切り替えを、容易かつシンプルな制御により行うことができる。この結果、確実に消費電力を低減し通信性能を向上し不要輻射の抑制を図ることができる。
ことができる。
【図面の簡単な説明】
【００３１】
【図１】本発明の一実施形態のリーダを、無線タグが貼付されている物品の情報読み取りに適用した場合の例を表す説明図である。
【図２】リーダの概略システム構成を表す機能ブロック図である。
【図３】ＲＦ通信制御部の詳細構成を表す機能ブロック図である。
【図４】高周波増幅回路の機能ブロック図である。
【図５】高周波増幅回路の入力と出力との関係を示す図である。
【図６】高周波増幅回路の出力と高周波増幅の動作効率との関係を示す図である。
【図７】リーダと無線タグとの間で送受される信号のタイムチャートの一例を表す図である。
【図８】ＣＰＵによって行われる制御手順を表すフローチャートである。
【図９】分配器の分配比を不均等とする変形例における、高周波増幅回路を示す機能ブロック図である。
【図１０】動作切替用のスイッチを設ける変形例における、高周波増幅回路を示す機能ブロック図である。
【図１１】前段にプリアンプを設ける変形例の要部を表す機能ブロック図である。
【図１２】高周波増幅器を利得制御型とする変形例の要部を表す機能ブロック図である。
【発明を実施するための形態】
【００３２】
以下、本発明の一実施形態を図面を参照しつつ説明する。
【００３３】
本実施形態の無線タグ通信装置であり無線送信機でもあるリーダを、無線タグが貼付されている物品の情報読み取りに適用した場合の一例を図１に示す。図１において、本実施形態のリーダ１は、この例では携帯型であり、略直方体形状の筐体２ａを有している。筐体２ａの端部には、適宜の物品Ｂに貼付された無線タグＴと無線通信を行うリーダアンテナ３が設けられている。また筐体２ａには、操作部７と表示部８とが設けられている。操作部７は、使用者からの指示や情報が入力される。表示部８は、各種情報やメッセージを表示する。
【００３４】
リーダ１の機能的構成を図２に示す。図２において、リーダ１は、筐体２ａ内に設けられた本体制御部２と、リーダアンテナ３とを有している。
【００３５】
本体制御部２は、ＣＰＵ４と、不揮発性記憶装置５と、メモリ６と、上記操作部７と、上記表示部８と、ＲＦ通信制御部９とを備えている。
【００３６】
不揮発性記憶装置５は、ハードディスク装置やフラッシュメモリから構成され、物品Ｂの管理状況などの各種情報を記憶する。メモリ６は、例えばＲＡＭやＲＯＭ等から構成される。無線タグＴには、情報を記憶するＩＣ回路部１５０と情報を送受信するタグアンテナ１５１とが備えられた無線タグ回路部Ｔｏが設けられている。
【００３７】
ＲＦ通信制御部９は、リーダアンテナ３を介し無線タグＴとの無線通信の制御を行う。
【００３８】
図３を用いて、ＲＦ通信制御部９の詳細構成を説明する。
【００３９】
ＲＦ通信制御部９は、無線タグ回路部ＴｏのＩＣ回路部１５０の無線タグ情報にアクセスするための質問波を生成し、リーダアンテナ３を介し送信する送信部２１２と、リーダアンテナ３により受信された無線タグ回路部Ｔｏからの応答波を入力する受信部２１３と、送受分離器２１４とから構成される。
【００４０】
送信部２１２は、水晶振動子２１５Ａと、Ｐｈａｓｅ  Ｌｏｃｋｅｄ  Ｌｏｏｐ（ＰＬＬ）２１５Ｂと、Ｖｏｌｔａｇｅ  Ｃｏｎｔｒｏｌｌｅｄ  Ｏｓｃｉｌｌａｔｏｒ（ＶＣＯ）２１５Ｃと、搬送波変調手段としての送信乗算回路２１６と、増幅手段としての高周波増幅回路２００とを備えている。
【００４１】
水晶振動子２１５Ａは、基準周波数を発生する。ＰＬＬ２１５Ｂは、水晶振動子２１５Ａにより発生した周波数を元に、所定周波数の搬送波をＣＰＵ４の制御により発生させる。発生される搬送波は、例えばＵＨＦ帯、マイクロ波帯、あるいは短波帯の周波数を用いている。なお、水晶振動子２１５Ａ、ＰＬＬ２１５Ｂ、及びＶＣＯ２１５Ｃは、各請求項記載の搬送波発生手段として機能する。
【００４２】
送信乗算回路２１６は、上記ＣＰＵ４から供給される信号に基づいて上記発生させられた搬送波を変調する。この例では、送信乗算回路２１６は、ＣＰＵ４からの「ＴＸ＿ＡＳＫ」信号に基づく振幅変調を実行する。なお、振幅変調の場合は、送信乗算回路２１６代えて増幅率可変アンプ等を用いてもよい。また、質問波は上記のように変調した信号すなわち変調波に限られず、単なる搬送波のみの場合もある。
【００４３】
高周波増幅回路２００は、送信乗算回路２１６により変調された変調波を増幅する。高周波増幅回路２００は、この例では、ＣＰＵ４からの「ＴＸ＿ＰＷＲ」信号によって決定される増幅率による増幅を行う。高周波増幅回路２００の出力は、送受分離器２１４を介しリーダアンテナ３に伝達されてリーダアンテナ３より送信され、無線タグ回路部ＴｏのＩＣ回路部１５０に供給される。
【００４４】
受信部２１３は、Ｉ相受信乗算回路２１８と、Ｉ相バンドパスフィルタ２１９と、Ｉ相受信アンプ２２１と、Ｉ相リミッタ２２０と、Ｑ相受信乗算回路２２２と、Ｑ相バンドパスフィルタ２２３と、Ｑ相受信アンプ２２５と、Ｑ相リミッタ２２４と、移相器２２７とを備えている。
【００４５】
Ｉ相受信乗算回路２１８は、リーダアンテナ３で受信され、送受分離器２１４とを介し入力された無線タグ回路部Ｔｏからの応答波と、上記搬送波とを乗算し、復調する。
【００４６】
Ｉ相バンドパスフィルタ２１９は、Ｉ相受信乗算回路２１８の出力から必要な帯域の信号のみを取り出す。Ｉ相受信アンプ２２１は、Ｉ相バンドパスフィルタ２１９の出力を増幅する。Ｉ相リミッタ２２０は、Ｉ相受信アンプ２２１の出力をさらに増幅してデジタル信号に変換する。
【００４７】
移相器２２７は、上記搬送波を入力し、位相を９０°遅らせて出力する。
【００４８】
Ｑ相受信乗算回路２２２は、リーダアンテナ３で受信された無線タグ回路部Ｔｏからの応答波と、移相器２２７により出力された位相が９０°遅れた搬送波とを乗算する。
【００４９】
Ｑ相バンドパスフィルタ２２３は、Ｑ相受信乗算回路２２２の出力から必要な帯域の信号のみを取り出す。Ｑ相受信アンプ２２５は、Ｑ相バンドパスフィルタ２２３の出力を増幅する。Ｑ相リミッタ２２４は、Ｑ相受信アンプ２２５の出力をさらに増幅してデジタル信号に変換する。
【００５０】
上記Ｉ相リミッタ２２０から出力される信号「ＲＸＳ−Ｉ」及びＱ相リミッタ２２４から出力される信号「ＲＸＳ−Ｑ」は、ＣＰＵ４に入力されて処理される。Ｉ相受信アンプ２２１及びＱ相受信アンプ２２５の出力は、強度検出手段としてのＲｅｃｅｉｖｅｄ  Ｓｉｇｎａｌ  Ｓｔｒｅｎｇｔｈ  Ｉｎｄｉｃａｔｏｒ（ＲＳＳＩ)回路２２６にも入力され、それらの信号の強度を示す信号「ＲＳＳＩ」がＣＰＵ４に入力される。
【００５１】
以上のようにして、リーダ１では、Ｉ−Ｑ直交復調によって無線タグ回路部Ｔｏからの応答波の復調が行われる。
【００５２】
本実施形態の特徴は、送信部２１２に設けた高周波増幅回路２００の構成及び機能にある。以下、その詳細を図４〜図６により説明する。
【００５３】
高周波増幅回路２００は、図４に示すように、複数、この例では２つの高周波増幅回路２２Ａ，２２Ｂと、例えば電力分配器等からなる分配器２０と、例えば電力合成器や方向性結合器等からなる合波器２１とを備えている。
【００５４】
高周波増幅器２２Ａ，２２Ｂは、送信乗算回路２１６からの振幅変調された高周波信号を増幅する。この例では、高周波増幅器２２Ａ，２２Ｂは、利得がともにＧとなっている。
【００５５】
また高周波増幅器２２Ａ，２２Ｂは、分配器２０と合波器２１との間に、互いに並列接続され、増幅器並列型に接続可能に構成されている。すなわち、高周波増幅器２２Ａ，２２Ｂのうち一方、この例では第１アンプとしての高周波増幅器２２Ａは、常時ＯＮ状態である。これに対し、高周波増幅器２２Ａ，２２Ｂのうち他方、この例では第２アンプとしての高周波増幅器２２Ｂは、ＣＰＵ４からの切替制御信号であるＯｎ／Ｏｆｆ制御信号によって、ＯＮ状態及びＯＦＦ状態が切り替わる。これにより、高周波増幅回路２００の増幅動作は、高周波増幅器２２ＢがＯＮのときに対応した、高周波増幅器２２Ａ，２２Ｂによる並列動作を行わせる第１状態と、高周波増幅器２２ＢがＯＦＦのときに対応した、高周波増幅器２２Ａを用いたシングル動作を行わせる第２状態とが、切り替え可能になっている。
【００５６】
分配器２０は、高周波増幅回路２００に入力された高周波信号を、各高周波増幅器２２Ａ，２２Ｂに対し分配損失−３ｄＢで均等に分配し、各高周波増幅器２２Ａ，２２Ｂに入力する。
【００５７】
一般に、振幅変調された高周波信号を増幅する場合、出力波形の歪みは高周波増幅器の利得の線形性に依存し、線形性がよいほど波形の歪みが少なく、不要輻射が少なくなり、通信性能が向上する。一方、高周波増幅器の動作効率も高周波増幅器の利得の線形性に依存するが、線形性がよいほど動作効率は悪くなり、消費電力が増大する。
【００５８】
そこで、本実施形態では、通信性能を確保する必要があるときには、高周波増幅回路２００に高周波増幅器２２Ａ，２２Ｂによる並列動作を行わせ、利得の線形性を向上する一方、通信性能を確保する必要がないときには、一方の高周波増幅器２２Ａによるシングル動作を行わせ、線形性を低下させ主として動作効率の向上を図るようにしている。
【００５９】
上記並列動作では、高周波増幅回路２００に入力される高周波信号を分配器２０により各分配損失−３ｄＢの同一分配比で２つに分け、かつ一方の高周波信号に対し他方の高周波信号を半波長（１８０°）の位相分だけ遅延させて、一方の遅延のない高周波信号を高周波増幅器２２Ａに入力し、他方の遅延した高周波信号を高周波増幅器２２Ｂに入力する。そして、一方の高周波増幅器２２Ａの高周波出力と他方の高周波増幅器２２Ｂの高周波出力とを合波器２１で合波して、これを高周波増幅回路２００の高周波出力信号とする。このような並列動作によれば、高周波増幅器２２Ａ，２２Ｂ単独で増幅した場合の出力である、振動中心の片側に歪みがある波形を、互いに位相を１８０°ずらせて重ねたような形で高周波増幅信号を出力する。この結果、原理的に片側の歪みが打ち消された高周波出力を得ることができ、高周波増幅の利得の線形性を向上することができるのである。
【００６０】
図５に高周波増幅回路２００の入力と出力との関係の一例を示す。図５では、横軸に入力ＡＭＰ_ｉｎ［ｄＢ］をとり、縦軸に出力ＡＭＰ-ｐ_ｏｕｔをとり、高周波増幅器２２Ａ，２２Ｂが並列動作を行った場合の特性線を実線で表し、高周波増幅器２２Ａだけを用いたシングル動作を行った場合の特性線を破線で表している。
【００６１】
図５に示すように、高周波増幅器２２Ａだけを用いたシングル動作で高周波増幅を行った場合は、入力ＡＭＰ_ｉｎ≧８［ｄＢ］の領域である非線形出力領域において利得の直線性が劣化し、入力ＡＭＰ_ｉｎ＝２２［ｄＢ］に対し、出力ＡＭＰ-ｐ_ｏｕｔ＝２６［ｄＢ］程度となる。これに対し、高周波増幅器２２Ａ，２２Ｂが並列動作による高周波増幅を行うと、出力ＡＭＰ-ｐ_ｏｕｔにおける利得の直線性が向上している。具体的には、入力ＡＭＰ_ｉｎ≧８［ｄＢ］の領域である非線形出力領域において、入力ＡＭＰ_ｉｎ＝２０［ｄＢ］に対し、出力ＡＭＰ-ｐ_ｏｕｔ＝２９［ｄＢ］程度が得られている。すなわち、高周波増幅器２２Ａ，２２Ｂの並列動作で高周波増幅を行わせることにより、非線形出力領域における出力ＡＭＰ-ｓ_ｏｕｔが約３ｄＢ向上することがわかる。
【００６２】
図６に高周波増幅回路の出力と高周波増幅の動作効率の関係の一例を示す。図６では、横軸に出力ＡＭＰ_ｏｕｔ［ｄＢ］をとり、縦軸には動作効率ＡＭＰ-ｅｆｆをとり、高周波増幅器２２Ａだけを用いたシングル動作を行った場合の特性線を実線で表し、高周波増幅器２２Ａ，２２Ｂが並列動作を行った場合の特性線を破線で表している。
【００６３】
図６に示すように、高周波増幅器２２Ａ，２２Ｂの並列動作を行った場合の動作効率は、利得の線形性が向上する分、高周波増幅器２２Ａ単独のシングル動作を行った場合の動作効率よりも低下する。すなわち、５［ｄＢ］≦ＡＭＰ_ｏｕｔ≦２７［ｄＢ］の広い範囲で、高周波増幅器２２Ａ単独のシングル動作を行った場合のほうが、高周波増幅器２２Ａ，２２Ｂの並列動作を行った場合よりも、動作効率が上回っている。したがって、通信性能を確保する必要がなく電力消費の低減に主眼を置く場合には、高周波増幅器２２Ａによるシングル動作を行わせることで、動作効率を向上させ消費電力低減を図ることができるのである。
【００６４】
ところで、一般に、無線通信の場合、搬送波の変調を行った高周波信号を送受信する変調送受信期間と、変調を行わない搬送波を送受信する無変調送受信期間とが、時間的に切り替わりつつ、通信が行われる。したがって、通信性能を確保しつつ電力消費を低減する観点からは、リーダ１の高周波増幅回路２００を並列動作させて、線形性を良好にし主として不要輻射の低減を図る状態と、高周波増幅回路２００をシングル動作させて、線形性を低下させ主として動作効率の向上を図る状態とを、上記変調送受信期間と上記無変調送受信期間とで、切り替えて使い分けるのが合理的である。
【００６５】
リーダ１と無線タグＴに備えられた無線タグ回路部Ｔｏとの間で送受される信号のタイムチャートの例を図７に示す。この図７に示す信号の送受方法は、公知の方式に基づくものであり、図中では左側から右側に向かって時系列変化するよう示している。
【００６６】
この図７において、リーダ１は、操作部７の操作により動作を開始すると搬送波を出力し、通信可能領域内に存在する無線タグ群に対し搬送波を送信して、各無線タグＴを起動する。次に、リーダ１は、無線通信を行う無線タグＴの条件を指定する「Select」コマンドを送信する。無線タグＴは、指定された条件を満たすものだけがその後に無線通信を行える状態となる。図中ではこの条件を満たす一つ無線タグＴのみを示している。
【００６７】
次にリーダ１は、同じ無線タグ群に対し、スロット数指定値Ｑを含む読み取りコマンドである「Query」コマンドを送信し、無線タグＴが発生する０から２のＱ乗−１までの乱数であるスロットカウント値Ｓが値０となった無線タグＴに、タグ情報を応答発信させるよう要求する。そしてリーダ１は、リーダアンテナ３を介して上記「Query」コマンドを送信後、所定の時間枠である第１識別スロットで無線タグＴからの応答を待ち受ける。
【００６８】
スロットカウント値Ｓとして値０を生成した無線タグＴは、タグ情報を送信する許可を得るための例えば１６ビットの擬似乱数を用いた「RN16」コマンドを応答信号としてリーダ１へ送信する。この「RN16」コマンドを受信したリーダ１は、この「RN16」コマンドに対応する内容でタグ情報の送信を許可する「Ack」コマンドを送信する。そして「Ack」コマンドを受信した無線タグＴは、自身が先に送信した「RN16」コマンドと受信した「Ack」コマンドが対応していると判断した場合に、タグ情報の送信を許可されたものとみなしてタグＩＤを含むタグ情報を送信する。このようにして、一つの識別スロットにおける信号の送受信が行われる。
【００６９】
その後、さらに２番目以降の識別スロットでは、リーダ１は「Query」コマンドの代わりに「QueryRep」コマンドを送信し、その直後に設けられる識別スロットの時間枠で他の無線タグＴ（図示せず）の応答を待つ。「QueryRep」コマンドを受信した各無線タグＴは自身の上記スロットカウント値Ｓの値を一つだけ減算して保持し、該スロットカウント値Ｓが値０になった時点の識別スロットで「RN16」コマンドを初めとした信号の送受信をリーダ１との間で行う。
【００７０】
以上説明したように、リーダ１は、搬送波を変調して「Select」コマンド、「Query」コマンド等の各種コマンド信号を順次生成し、無線タグＴに対し送信する。そして各コマンド同士の間では、リーダ１は、無線タグＴに対し搬送波のみの送信を行うのである。したがって、リーダ１は、無線タグＴへ各種コマンドを送信する等を行う変調送受信期間において高周波増幅回路２００を前述の並列動作させることで、線形性を良好にして主として不要輻射の低減を図ることができる。一方、リーダ１は、上記各種コマンドの送信時以外の搬送波送信の無変調送受信期間において高周波増幅回路２００を前述のシングル動作させることで、線形性を低下させ主として動作効率の向上を図ることができる。このような切り替えを行うことで、リーダ１の通信性能を確保しつつ、全体としての電力消費を低減することが可能となる。図７に、高周波増幅回路２００のシングル動作の開始時点を「Ｓ」で示し、並列動作の開始時点を「ＰＰ」で示している。
【００７１】
上記したような動作を実行するために、リーダ１のＣＰＵ４によって行われる制御手順を図８を用いて説明する。
【００７２】
まずステップＳ１０において、ＣＰＵ４は、送信部２１２の高周波増幅回路２００に上記第２状態への切替制御信号を出力する。これにより、高周波増幅回路２００は、高周波増幅器２０Ｂの動作を停止し高周波増幅回路２０Ａのみを動作させる、シングル動作へ切り替わる。
【００７３】
その後、ステップＳ１５において、ＣＰＵ４は、送信部２１２及びリーダアンテナ３を介し、通信可能領域内の無線タグＴに搬送波を送信し、無線タグＴを起動する。
【００７４】
次のステップＳ２０では、ＣＰＵ４は、送信部２１２の高周波増幅回路２００に第１状態への切替制御信号を出力する。これにより、高周波増幅回路２００は、高周波増幅器２２Ｂを停止状態から動作状態とし、高周波増幅器２２Ａと高周波増幅器２２Ｂとを動作させる並列動作に切り替わる。
【００７５】
その後、ステップＳ２５において、ＣＰＵ４は、送信部２１２及びリーダアンテナ３を介し、１つのタグＩＤを指定した「Select」コマンド信号を送信する。
【００７６】
そして、ステップＳ３０で、ＣＰＵ４は、上記ステップＳ１０と同様、第２状態への切替制御信号を出力し高周波増幅回路２００をシングル動作に切り替える。その後、ステップＳ３５において、上記ステップＳ１５と同様、無線タグＴに搬送波を送信する。
【００７７】
そして、ステップＳ４０で、ＣＰＵ４は、上記ステップＳ２０と同様、第１状態への切替制御信号を出力し高周波増幅回路２００を並列動作へ切り替える。その後、ステップＳ４５において、ＣＰＵ４は、送信部２１２及びリーダアンテナ３を介し、無線タグＴに「Query」コマンド信号を送信する。なおこのとき、スロット数指定値Ｑは２０（＝１）に指定されている。
【００７８】
そして、ステップＳ５０で、ＣＰＵ４は、上記ステップＳ３０と同様、第２状態への切替制御信号を出力し高周波増幅回路２００をシングル動作に切り替える。その後、ステップＳ５５において、上記ステップＳ３５と同様、ＣＰＵ４は、無線タグＴに搬送波を送信する。そして、ステップＳ６０において、ＣＰＵ４は、リーダアンテナ３及び受信部２１３を介し、所定の受信時間の間だけ無線タグＴからの応答信号を受信する。
【００７９】
ステップＳ６５では、ＣＰＵ４は、応答信号として「RN16」コマンドを受信したか否かを判定する。「RN16」コマンドが受信されていない場合、判定が満たされず、当該識別スロットで応答する無線タグＴがないものとみなされて、上記ステップＳ２０へ戻り、同様の手順を繰り返す。一方、ステップＳ６５において、「RN16」コマンドが受信された場合、判定が満たされ、当該識別スロットで応答する無線タグＴが存在するとみなされて、ステップＳ７０へ移る。
【００８０】
ステップＳ７０では、ＣＰＵ４は、上記ステップＳ４０と同様、第１状態への切替制御信号を出力し高周波増幅回路２００を並列動作へ切り替える。その後、ステップＳ７５において、ＣＰＵ４は、送信部２１２及びリーダアンテナ３を介し、上記ステップＳ６０で受信された「RN16」コマンドに含まれている疑似乱数に対応する内容の「Ack」コマンドを無線タグＴに送信する。
【００８１】
そして、ステップＳ８０で、ＣＰＵ４は、上記ステップＳ５０と同様、第２状態への切替制御信号を出力し高周波増幅回路２００をシングル動作に切り替える。その後、ステップＳ８５において、上記ステップＳ５５と同様、ＣＰＵ４は、無線タグＴに搬送波を送信する。そして、ステップＳ９０において、ＣＰＵ４は、リーダアンテナ３及び受信部２１３を介し、無線タグＴからタグ情報を受信する。
【００８２】
その後、ステップＳ９５において、ＣＰＵ４は、上記ステップＳ９０で受信したタグ情報中にタグＩＤが含まれるか否か、言い換えればタグＩＤの受信に成功したか否かを判定する。上記ステップＳ９０で受信したタグ情報中にタグＩＤが含まれておらず、ステップＳ９５の判定が満たされない場合は、先のステップＳ２０に戻り、同様の手順を繰り返す。一方、上記ステップＳ９０で受信したタグ情報中にタグＩＤが含まれ、ステップＳ９５の判定が満たされた場合は、このフローを終了する。
【００８３】
なお、上記フローにおいて、ステップＳ１０、ステップＳ２０、ステップＳ３０、ステップＳ４０、ステップＳ５０、ステップＳ７０、及びステップＳ８０が、各請求項記載の切替制御手段として機能する。また、ステップＳ１５、ステップＳ２５、ステップＳ３５、ステップＳ４５、ステップＳ５５、ステップＳ７５、及びステップＳ８５が、変調制御手段として機能する。
【００８４】
以上説明したように、本実施形態のリーダ１は、ＲＦ通信制御部９の送信部２１２の高周波増幅回路２００に、複数の高周波増幅器２２Ａ，２２Ｂを備え、それら複数の高周波増幅器２２Ａ，２２Ｂが増幅器並列型に接続可能に構成されている。そして、各種コマンドの送信を行う際にはＣＰＵ４からのＯｎ/Ｏｆｆ制御信号によって第１状態に切り替わり、高周波増幅器２２Ａ，２２Ｂが並列動作を行うことで線形性を良好にし、不要輻射の低減を図ることができる。また上記並列動作により、の高周波増幅器２２Ａだけでシングル動作を行う場合に比べ約３ｄＢ程度の線形出力領域の向上を図ることができ（前述の図５参照）、通信性能を確実に向上することができる。この結果、確実にリーダ１の消費電力を低減し通信性能を向上することができる。一方、コマンド送信時でない期間では、第２状態に切り替わり、高周波増幅器２２Ａがシングル動作を行うことで線形性を低下させ主として動作効率の向上を図ることができる。このとき、並列動作とシングル動作とを切り替える手法であることにより、高周波増幅回路２００の動作電圧を制御したり、高周波増幅回路２００のバイアスを制御する手法等に比べ、制御の簡素化、容易化を図ることができる。
【００８５】
したがって、本実施形態のリーダ１によれば、通信性能の向上を図る状態と消費電力の低減を図る状態との切り替えを、容易かつシンプルな制御により行うことができる。この結果、確実に消費電力を低減し通信性能を向上し不要輻射の抑制を図ることができる。
【００８６】
なお、本発明は、上記実施形態に限られるものではなく、その趣旨及び技術的思想を逸脱しない範囲内で、種々の変形が可能である。以下、そのような変形例を説明する。
（１）分配器の分配比を不均等とする場合
すなわち、上記実施形態では、高周波増幅回路２００は、高周波増幅器２２Ａの利得Ｇと高周波増幅器２２Ｂの利得Ｇとが同一であり、分配器２０による高周波信号の高周波増幅器２２Ａ，２２Ｂへの分配比がともに分配損失−３ｄＢで同一であった。しかしながらこれに限られず、利得が異なる複数の高周波増幅器に対し高周波信号を不均等に入力するようにしてもよい。
【００８７】
本変形例による高周波増幅回路２００の構成を図９に示す。図９において、高周波増幅回路２００は、分配器２０と合波器２１との間に、高周波増幅器２３Ａ，２３Ｂを互いに並列に接続している。第１アンプとしての一方の高周波増幅器２３Ａは、シングル動作に用いる高周波増幅器であり、利得Ｇを有している。第２アンプとしての他方の高周波増幅器２３Ｂは、高周波増幅器２３Ａとともに並列動作をする高周波増幅器であり、高周波増幅器２３Ａの利得Ｇよりも高い利得Ｇ′を有している。高周波増幅回路２００は、上記実施形態と同様、ＣＰＵ４からの上記Ｏｎ／Ｏｆｆ制御信号による高周波増幅器２３ＢのＯＮ／ＯＦＦによって、高周波増幅器２３Ａ，２３Ｂによる並列動作を行う第１状態と、高周波増幅器２３Ａを用いたシングル動作を行わせる第２状態とが、切り替わる。
【００８８】
分配器２０は、上記実施形態と同様、入力された高周波信号を２つに分け、かつ一方の高周波信号に対し他方の高周波信号を半波長（１８０°）の位相分だけ遅延させて、一方の遅延のない高周波信号を高周波増幅器２３Ａに入力し、他方の遅延した高周波信号を高周波増幅器２２Ｂに入力する。その際、本変形例では、分配器２０は、入力された高周波信号を、例えば分配損失−０．５ｄＢ及び−２０ｄＢの分配比で、大小２つに分ける。この例では、分配量の大きい方分配損失−０．５ｄＢの遅延のない高周波信号を、高周波増幅器２３Ａに入力し、分配量の小さい分配損失−０．２０ｄＢの遅延した高周波信号を、高周波増幅器２３Ｂに入力する。低利得の高周波増幅器２２Ａへの分配量を大きく、高利得の高周波増幅器２２Ｂへの分配量を小さくすることにより、高周波増幅器２３Ａからの出力と高周波増幅器２３Ｂからの出力とを同等のレベルすることができる。
【００８９】
本変形例によれば、並列動作を行う第１状態から高周波増幅器２３Ａによるシングル動作を行う第２状態に切り替わる際にＯＦＦとなる、高周波増幅器２３Ｂへの分配比を、高周波増幅器２３Ａに対して小さくしている。これにより、高周波増幅器２３ＢがＯＦＦになる際に生じるインピーダンス不整合の影響を確実に低減することができる。この結果、高周波増幅器２３Ａへの入力の分配による損失が小さくなり、第２状態でシングル動作する高周波増幅器２３Ａを含む経路での損失を、低減することができる。
【００９０】
（２）動作切替用のスイッチを設ける場合
本変形例による高周波増幅回路２００の構成を図１０（ａ）及び図１０（ｂ）に示す。本変形例では、スイッチ手段として、高周波増幅回路２００の入力側に第１スイッチ２４及び第２スイッチ２５を設け、高周波増幅回路２００の出力側に第３スイッチ２６及び第４スイッチ２７を設ける。これら、第１〜第４スイッチ２４，２５，２６，２７は、ＣＰＵ４から出力される経路制御信号によって、互いに連動して切り替えられ、上記第１状態に対応した図１０（ａ）に示す第１接続経路と、上記第２状態に対応した図１０（ｂ）に示す第２接続経路とを、選択的に形成する。
【００９１】
すなわち図１０（ａ）に示す第１接続回路においては、高周波増幅回路２００への入力は、第１スイッチ２４を介し分配器２０へ導かれる。分配器２０から高周波増幅器２３Ａ側への分配出力は第２スイッチ２５を経て高周波増幅器２３Ａへ導かれ、高周波増幅器２３Ａからの出力は、第３スイッチ２６を経て合波器２１へ導入される。一方、分配器２０から高周波増幅器２３Ｂ側への分配出力は直接高周波増幅器２３Ｂへ導かれ、高周波増幅器２３Ｂからの出力は、直接合波器２１へ導入される。合波器２１で合波後の出力は、第４スイッチ２７を経て、高周波増幅回路２００の出力側へと導かれる。この第１接続経路により、高周波増幅器２３Ａ，２３Ｂによる並列動作が行われる。
【００９２】
一方、図１０（ｂ）に示す第２接続回路においては、高周波増幅回路２００への入力は、第１スイッチ２４、第２スイッチ２５により、分配器２０へ導かれることなく、高周波増幅器２３Ａへ導かれる。高周波増幅器２３Ａからの出力は、第３スイッチ２６、第４スイッチ２７により、合波器２１へ導かれることなく、高周波増幅回路２００の出力側へと導かれる。この第２接続経路により、高周波増幅器２３Ａによるシングル動作が行われる。
【００９３】
本変形例においては、第１接続経路を用いて高周波増幅器２３Ａ，２３Ｂによる並列動作を行わせる第１状態から、第２接続経路を用いて高周波増幅器２３Ａによるシングル動作を行わせる第２状態に切り替わる際、高周波増幅器２３ＢがＯＦＦとなるとともに、高周波増幅器２３Ｂが分配器２０や合波器２１とともに第１接続回路から遮断される。これにより、上述のインピーダンス不整合の影響が生じるのを防止することができ、第２状態でシングル動作する高周波増幅器２３Ａを含む第１接続経路での損失を防ぐこともできる。
【００９４】
（３）分配器の前段にプリアンプを設ける場合
すなわち、図１１に示すように、上記実施形態や（１）の変形例における分配器２０の前段、あるいは、上記（２）の変形例における第１スイッチ２４の前段に、プリアンプ２８を前置してもよい。プリアンプ２８は、ＣＰＵ４からの入力レベル制御信号に基づき増幅率を可変に調整し、分配器２０や第１スイッチ２４への出力レベルを制御する。
【００９５】
これにより、前述のような並列動作を行う第１状態と、シングル動作を行う第２状態との、いずれに切り替わっても、適宜に分配器２０又は第１スイッチ２４への入力レベルを調整し、合波器２１又は第４スイッチからの出力が一定となるように制御することができる。
【００９６】
（４）高周波増幅器を利得制御型とする場合
すなわち、本変形例では、高周波増幅器２２Ａ，２２Ｂ，２３Ａ，２３Ｂの少なくとも１つを、図１２に示すように利得Ｇを変更できる利得制御型の高周波増幅器とする。当該高周波増幅器２２Ａ，２２Ｂ，２３Ａ，２３Ｂは、ＣＰＵ４からの利得制御信号に基づき、利得を可変に制御する。
【００９７】
これにより、前述のような並列動作を行う第１状態と、シングル動作を行う第２状態との、いずれに切り替わっても、当該高周波増幅器２２Ａ，２２Ｂ，２３Ａ，２３Ｂの利得を適宜に調整し、最終的に合波器２１又は第４スイッチ２７から出力される出力レベルを一定とすることができる。
【００９８】
（５）その他
以上、無線送信機の一例として、無線タグを通信対象とする無線タグ通信装置を例にとって説明したが、本発明はこれに限られない。すなわち、無線タグ通信装置以外の汎用の無線送信機についても本発明は適用することができ、同様の効果を奏する。
【００９９】
なお、以上既に述べた以外にも、上記実施形態や各変形例による手法を適宜組み合わせて利用しても良い。
【０１００】
その他、一々例示はしないが、本発明は、その趣旨を逸脱しない範囲内において、種々の変更が加えられて実施されるものである。
【符号の説明】
【０１０１】
１              リーダ（無線タグ通信装置；無線送信機）
３              リーダアンテナ（アンテナ）
４              ＣＰＵ
９              ＲＦ通信制御部
２０            分配器
２１            合波器
２２Ａ，２３Ａ  高周波増幅器（第１アンプ）
２２Ｂ，２３Ｂ  高周波増幅器（第２アンプ）
２８            プリアンプ
１５０          ＩＣ回路部
１５１          タグ側アンテナ
２００          高周波増幅回路（増幅手段）
２１２          送信部
Ｔ              無線タグ
Ｔｏ            無線タグ回路部
【図１】
2011077700.tif 000003
【図２】
2011077700.tif 000004
【図３】
2011077700.tif 000005
【図４】
2011077700.tif 000006
【図５】
2011077700.tif 000007
【図６】
2011077700.tif 000008
【図７】
2011077700.tif 000009
【図８】
2011077700.tif 000010
【図９】
2011077700.tif 000011
【図１０】
2011077700.tif 000012
【図１１】
2011077700.tif 000013
【図１２】
2011077700.tif 000014